(57)【要約】【課題】  車両の底面側に装着されるアンダースポイラーであっても、今までに無いほど視覚的インパクトがあるアンダースポイラーを提供する。【解決手段】  押出成形時の押出方向に連続する中空部１０７を備え、且つ、少なくとも一部が透明若しくは半透明の材料で成形される可撓性のある樹脂製の本体１００と、前記中空部１０７に挿通される導光ファイバ１０６と、当該導光ファイバ１０６に光を入光するための光源１１２と、を備える。【選択図】図３
2018014250.tif 000002
【特許請求の範囲】
【請求項１】
押出成形時の押出方向に連続する中空部を備え、且つ、少なくとも一部が透明若しくは半透明の材料で成形される可撓性のある樹脂製の本体と、
前記中空部に配置された発光部と、を備えた
ことを特徴とする車両用発光式アンダースポイラー。
【請求項２】
請求項１において、
前記発光部は、前記中空部に挿通される導光ファイバと、
当該導光ファイバに光を入光するための光源と、を備えて構成される
ことを特徴とする車両用発光式アンダースポイラー。
【請求項３】
請求項１または２において、
前記本体は、全部が透明若しくは半透明の樹脂材料で押出成形されており、表面の一部を塗装することによって発光部分が限定される
ことを特徴とする車両用発光式アンダースポイラー。
【請求項４】
請求項１または２において、
前記本体の一部を不透明材料で押出成形することによって発光部分が限定される
ことを特徴とする車両用発光式アンダースポイラー。
【発明の詳細な説明】
【技術分野】
【０００１】
本発明は自動車の技術分野に関し、特に詳しくは、光を利用して車両（特に自動車）の外装を装飾する技術に関する。
【背景技術】
【０００２】
従来から、車両の空力特性向上やドレスアップを目的としてアンダースポイラー（フロントリップスポイラー、サイドスカート、リヤアンダースポイラーなど）を車両に装着することが広く行われている。特に、空力特性向上よりも、車高をより低く見せるためのドレスアップ目的として装着する者も増加している傾向にある。
【０００３】
また、これらアンダースポイラーは、車種毎に形状やサイズが異なるため、基本的には車種別に専用のものが用意されるのが通常である。一方で、特にドレスアップ目的で装着する場合は、汎用品を所望のサイズに切断し、両面テープ等を利用して車両に固定し、簡易的なアンダースポイラーとして利用されることもある（非特許文献１を参照）。
【先行技術文献】
【非特許文献】
【０００４】
【非特許文献１】カーセンサー  ニュースのウェブサイト（http://www.carsensor.net/contents/news/category_1579/_52324.html）
【発明の概要】
【発明が解決しようとする課題】
【０００５】
しかしながら、上記非特許文献１に記載されているアンダースポイラーは、単に「車高を低く見せる」という効果しかないのが現実である。特に近年は、他人との差別化を図れる商品やより目立つ商品が好まれる傾向にあり、車両の底面側に装着するアンダースポイラー類はその性質上目立ち難く、そういった意味では流行りを過ぎた商品と言わざるを得ない部分もあった。
【０００６】
本発明は、このような問題点を解決するべくなされたものであって、車両の底面側に装着されるアンダースポイラーであっても、今までに無いほど視覚的インパクトがあるアンダースポイラーを提供する事をその課題としている。
【課題を解決するための手段】
【０００７】
上記課題を解決するべく、本願発明は、押出成形時の押出方向に連続する中空部を備え、且つ、少なくとも一部が透明若しくは半透明の材料で成形される可撓性のある樹脂製の本体と、前記中空部に配置された発光部と、を備えたことを特徴とする。
【０００８】
発明者は、上記非特許文献に記載の汎用アンダースポイラー等が、押出成形によって作られているという点に着目し、押出成形の技術を巧みに利用することによって今までにない、「目立つ」アンダースポイラーの発明に至ったのである。即ち、押出成形では、材料が押し出される方向（押出方向）に連続する中空部を容易に成形することが可能である。そこで、成形材料の少なくとも一部を透明や半透明の材料とした上で、その中空部の中に発光部（光源そのものであってもよいし、光源からの光がファイバ等によって伝達されて発光するものであってもよい。）を配置し、アンダースポイラー自体を発光させるというものである。
【０００９】
なお、押出成形された本体は、所望の長さに切断して利用できるので、特定の車両に限定されることなく多くの車両に使用することができる。また、本体は可撓性のある樹脂で構成されているので、車両の形状に沿わせて装着することも容易である。
【００１０】
また、前記発光部を、前記中空部に挿通される導光ファイバと、当該導光ファイバに光を入光するための光源として構成してもよい。
【００１１】
このように構成すれば、少ない数の光源で広い範囲を発光させることができると共に、導光ファイバを介することによってより均一な発光を可能としている（光源の粒々感の残った状態での発光を防止できる。）。
【００１２】
また、前記本体を、全部が透明若しくは半透明の樹脂材料で押出成形し、表面の一部を塗装することによって発光部分を限定してもよい。
【００１３】
このように構成すれば、光らせたい部分を容易に限定することができるし、更に、塗装の色と発光との組合せのバリエーションも多様となる。更に、塗膜を剥がすことにより、光らせたい部分を事後的に変更することも可能となる。
【００１４】
また、前記本体の一部を不透明材料で押出成形することによって発光部分を限定してもよい。
【００１５】
現在の押出成形の技術では、押し出される材料の特定の部分だけ着色された材料で押し出す等の技術が確立されている。その技術を利用して、遮光したい部分を非透明な材料を利用して押出成形することによって、事後的に塗装等を行わずとも予め発光部分が限定された（例えば２本のライン部分だけ発光する）車両用発光式アンダースポイラーとなるのである。
【発明の効果】
【００１６】
本発明を適用することで、車両の底面側に装着されるアンダースポイラーであっても、今までに無いほど視覚的インパクトのあるアンダースポイラーを提供することができる。
【図面の簡単な説明】
【００１７】
【図１】本発明の実施形態の一例としての車両用発光式アンダースポイラーを装着した車両の正面図である。
【図２】車両に装着する前の車両用発光式アンダースポイラー本体の概略構成図である（巻かれた状態）。
【図３】車両用発光式アンダースポイラー本体端面の拡大図である。
【図４】車両用発光式アンダースポイラーの概略構成図である。
【図５】車両用発光式アンダースポイラーを車両に取り付けた状態の長手方向中央断面図である。
【図６】車両用発光式アンダースポイラー正面の部分拡大図である。
【図７】車両用発光式アンダースポイラーを曲面に取り付ける例を示した図である。
【発明を実施するための形態】
【００１８】
以下、添付図面を参照しつつ、本発明の実施形態の一例である車両用アンダースポイラー１０について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１９】
〈車両用発光式アンダースポイラーの構成〉
本発明の実施形態の一例として示す車両用発光式アンダースポイラー１０は、押出成形された本体１００と、当該本体１００に挿通される導光ファイバ１０６と、光源１１２と、を備えて構成される。
【００２０】
本体１００は、可撓性のある透明又は半透明な樹脂（例えば軟質アクリル樹脂、軟質ポリエステル樹脂、ウレタン、塩化ビニル、エラストマー樹脂等）を押出成形した押出成形材が利用される。よって、図２に示しているように、巻回するように曲げることも可能である。
【００２１】
本実施形態においては、本体１００は、断面形状が略「く」の字形状とされている。凸側が表面、凹側が裏面となる。表面の一方が取り付けた際に車両の前面（進行方向）側を向く正面１０１であり、表面のもう一方の面は取付面１０２とされている。この取付面１０２には、車両に本体１００を固定するための両面テープ１２０が貼付されている。
【００２２】
また、本体１００には、図３に示しているように、押出方向に連続する中空部１０７が設けられ（図面上は中空部１０７が２つ設けられているが１つでもよいし、３つ以上設けられていてもよい。）、この中空部１０７に、それぞれ光を伝達するための導光ファイバ１０６が挿通される。
【００２３】
また、図４に示しているように、本体１００の両端は防水処理等を目的に端部キャップ１１０で覆われている。この端部キャップ１１０の中に、光源としてのＬＥＤ１１２が配置されており、導光ファイバ１０６の端面に対して光を照射可能に配置構成される。
【００２４】
このように、本実施形態においては、導光ファイバ１０６と光源１１２によって「発光部」１１３が構成される。
【００２５】
なお、図示していないが、光源としてのＬＥＤ１１２は、ＯＮ−ＯＦＦスイッチと共に電源に配線される。
【００２６】
〈車両用発光式アンダースポイラーの作用・機能〉
最初に、本体１００を、装着する箇所に応じて所望の長さに切断する。併せて、中空部１０７に挿通する導光ファイバ１０６も、長さを調整して切断する。
【００２７】
本体の中空部１０７に導光ファイバ１０６を挿通させ、ＬＥＤ１１２を配置して端部キャップ１１０を取りつける。
【００２８】
両面テープ１２０の剥離シートを剥がして、車両の所望の位置に貼り付け固定する。この時、本体部は可撓性を有しているので、車両の形状に沿わせることが容易である。急なカーブに沿わせる場合には、図７に示しているように、取付面１０２の一部をカットすることによって、無理なく沿わせることが可能となる。
【００２９】
装着後、ＬＥＤ１１２を電源へと配線する。
【００３０】
装着後、電源を入れると、光源としてのＬＥＤ１１２が発光する。この光は、導光ファイバ１０６の端面から導光ファイバ１０６内に入る。導光ファイバ１０６の表面からは、外周側（即ち、本体１００側に向かって光が放たれ、この光は透明若しくは半透明で構成された本体１００内に広がるように拡散し、結果としてアンダースポイラー１０が発光することとなる。
【００３１】
この時、例えば、本体１００の一部に塗装を施すことにより、本体１００の特定の部分だけが発光するようにすることも可能である。例えば、図５に示しているように、本体１００の正面１０１、取付面１０２、裏面１０４及び奧面１０８に塗装を施せば、塗装が施されていないのは下面１０３となり、この下面１０３が発光する。図５では、下面１０３は車両への取付時、地面方向を向いているので、地面に向かって光を放ってその光が地面αを照らすこととなる。そうすると、アンダースポイラー１０の下面とその下の地面の２箇所が連動して光ることとなり、看る者へのインパクトは非常に大きなものとなる。
【００３２】
また、図６に示しているように、例えば、本体１００の正面１０１の上方と下方を塗装して塗装面１０１ａとし、その間を塗装しない非塗装面１０１ｂとすれば、この非塗装面１０１ｂの部分が線状に発光することとなる。このように塗装を工夫することによって、所望の位置を光らせることが容易に可能となる。更に、塗装の色と発光との組合せのバリエーションも多様となるし、塗膜を剥がすことにより、光らせたい部分を事後的に変更することも可能となる。
【００３３】
また、塗装で発光する部分を限定するのではなく、本体１００の一部を不透明材料で押出成形することにより、発光部分を限定してもよい。
【００３４】
現在の押出成形の技術では、押し出される材料の特定の部分だけに着色された材料を使用して押し出す等の技術が確立されている。その技術を利用して、遮光したい部分を非透明な材料を利用して押出成形することによって、事後的に塗装等を行わずとも予め発光部分を限定することが可能となるのである。
【００３５】
なお、押出成形された本体１００は、所望の長さに切断して利用できるので、特定の車両に限定されることなく多くの車両に使用することができる。また、本体１００は可撓性のある樹脂で構成されているので、車両の形状に沿わせて装着することも容易である。
【００３６】
〈その他の構成例〉
上記では、アンダースポイラーの一例として、フロントリップスポイラーに適用した例として説明しているがこれに限定されるものではない。その他にも、サイドスカート、リヤアンダースポイラーとして適用することも十分に可能である。
【００３７】
また、上記では、車両への取付を両面テープにより行っていたが、これに限られない。より安定的な固定のためにネジやビスで固定することも可能であるし、これらを併用して固定することもできる、車両への固定方法は特に限定されるものではない。
【００３８】
また、上記では、アンダースポイラー本体の断面形状が略「く」の字形状となっていたが、これに限定されるものではない。
【００３９】
また、上記では、中空部１０７に挿通された導光ファイバ１０６と光源１１２によって「発光部」１１３が構成されていたが、導光ファイバ１０６を利用せずに、直接中空部１０７内に光源１１２を複数配置して発光部とすることも可能である。そうすることにより、アンダースポイラー全体をより強い光で発光させることが可能となる。もちろんこれらの組合せも可能である。
【符号の説明】
【００４０】
１・・・車両
１０・・・車両用発光式アンダースポイラー
１００・・・本体
１０１・・・正面
１０２・・・取付面
１０３・・・下面
１０４・・・裏面
１０５・・・端面
１０８・・・奧面
１０６・・・導光ファイバ
１０７・・・中空部
１１０・・・端部キャップ
１１２・・・ＬＥＤ（光源）
１１３・・・発光部
１２０・・・両面テープ
【図１】
2018014250.tif 000003
【図２】
2018014250.tif 000004
【図３】
2018014250.tif 000005
【図４】
2018014250.tif 000006
【図５】
2018014250.tif 000007
【図６】
2018014250.tif 000008
【図７】
2018014250.tif 000009
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
押出成形時の押出方向に連続する中空部を備え、且つ、少なくとも一部が透明若しくは半透明の材料で成形される可撓性のある樹脂製の本体と、
前記中空部に配置された発光部と、を備え、
当該発光部は、前記中空部に挿通される導光ファイバと、当該導光ファイバに光を入光するための光源と、を備えて構成されると共に、
押出方向に直交する方向で断面視すると、前記導光ファイバは、前記中空部の殆どを埋め尽くす形状とされている
ことを特徴とする車両用発光式アンダースポイラー。
【請求項２】
請求項１において、
前記本体は、全部が透明若しくは半透明の樹脂材料で押出成形されており、表面の一部を塗装することによって発光部分が限定される
ことを特徴とする車両用発光式アンダースポイラー。
【請求項３】
請求項１において、
前記本体の一部を不透明材料で押出成形することによって発光部分が限定される
ことを特徴とする車両用発光式アンダースポイラー。